【手続補正書】
【提出日】平成27年11月7日(2015.11.7)
【手続補正１】
【補正対象書類名】特許請求の範囲
【補正対象項目名】全文
【補正方法】変更
【補正の内容】
【特許請求の範囲】
【請求項１】
少なくとも１つの医療用シリンジと着脱自在に連結する、少なくとも１つの非電気式薬物輸液装置であって、前記装置は前記シリンジから薬物を輸液するようになっており、前記シリンジは、送液ポートと当該送液ポートに対向する開放端部とを有するシリンダと、近位終端部に対向する遠位ピストンを備える伸長プランジャ・アセンブリと、前記シリンダ内で密閉状態でスライドするようになっている前記ピストンとを有するものである、前記薬物輸液装置であって、
抵抗力付加手段を含むボディと、
アームを有する加力体と
を有し、
前記アームは、前記抵抗力付加手段に近接する自由端部を有するものであり、
前記加力体は、前記アームの前記自由端部から間隔をあけた所定の位置で前記シリンジの前記近位終端部に着脱自在に連結できるようになっているものであり、
前記輸液装置ボディにはクランプが取付けられており、前記クランプは、直径が前記シリンジのシリンダの直径と実質的に同様である長い内壁を有し、且つ対向する端部の間に前記シリンジの一部をスナップ式に包囲するのに十分な大きさの長い側方開口部を有し、これにより、前記シリンジの長軸に対して直角なシリンジの回転または運動を阻止するものであり、前記シリンジは、前記シリンダの直径が増す開放端部に隣接したレッジを有し、前記クランプは、前記シリンジのプランジャ・アセンブリが前記加力体または前記ユーザの指で移動され、当該クランプが前記シリンジのレッジに当接する状態で前記シリンダ上にスナップ式に嵌合した時、前記レッジの１若しくはそれ以上の側に当接し、前記シリンジをその長軸に沿って移動しないように保持するようになっているものである、
薬物輸液装置。
【請求項２】
請求項１記載のシステムにおいて、前記輸液装置は再使用が可能で、前記薬物シリンジは使い捨て式であるシステム。
【請求項３】
請求項１記載の輸液装置において、前記抵抗力付加手段は真空チャンバーを有し、この真空チャンバーは、当該真空チャンバーの壁を形成するシールされたスライド自在なピストンを有し、前記アームの前記自由端部は、前記シールされたスライド自在なピストンに連結されるものである輸液装置。
【請求項４】
請求項３記載の輸液装置において、前記アームは回転するようになっており、前記シールされたスライド自在なピストンに対向する端部にプレートを有し、このプレートは、前記シリンジの前記近位終端部を前記アームの全ての回転位置よりも少ない位置に係合させるようになっているものである輸液装置。
【請求項５】
請求項１記載の輸液装置において、前記アームは小面付きの側面を有し、当該アームの長軸に対して直角な小面形状有する断面を呈するものであり、前記アームは、前記輸液装置のボディに付けられ、対応する小面を有する整合ガイドを通過して移動し、その一部に少なくとも１つのネックを有するものであり、前記ネックは、前記小面を有する整合ガイドの最も狭い直径よりも幅が狭く、前記小面を有する整合ガイドと整合している場合は前記アームは回転自在であるが、前記アームの小面を有する部分が前記小面を有する整合ガイドと隣接している場合は前記アームの回転は阻止されるものである輸液装置。
【請求項６】
請求項４記載の輸液装置において、前記プレートはその外周から延出するリムを有し、前記リムは、前記シリンジの近位終端部が前記プレートに隣接する時に当該近位終端部を少なくとも部分的に包囲して、当該近位終端部が前記プレートに隣接する時に、前記リムにより前記プレートに対する前記プランジャ・アセンブリの移動に抵抗するようになっているものである輸液装置。
【請求項７】
請求項１記載の輸液装置において、前記輸液装置は緩衝システムを有し、この緩衝システムは、前記輸液装置のボディに平行に固着され、液体が充填された緩衝シリンダと、前記加力体に平行に固着された緩衝ロッドとを有し、前記緩衝シリンダは、前記緩衝システムが作動されている間、前記緩衝ロッドを受容するようになっており、前記作動された緩衝システムは、前記シリンジのプランジャ・アセンブリに連結された時に前記加力体の内向きの速度を制限することにより、輸液速度を制限するようになっているものである輸液装置。
【請求項８】
請求項１記載の輸液装置において、前記輸液装置は緩衝システムを有し、この緩衝システムは、前記輸液装置のボディに平行に固着された緩衝ロッドと、前記加力体に平行に固着され、液体が充填された緩衝シリンダとを有し、前記緩衝シリンダは、前記緩衝システムが作動されている間、前記緩衝ロッドを受容するようになっており、前記作動された緩衝システムは、前記シリンジのプランジャ・アセンブリに連結された時に前記加力体の内向きの速度を制限することにより、輸液速度を制限するようになっているものである輸液装置。
【請求項９】
請求項１記載のシステムにおいて、前記医療用シリンジは標準型の使い捨て静脈投与セットに組込まれるものであるシステム。
【請求項１０】
請求項９記載のシステムにおいて、前記医療用シリンジは少なくとも２つの送液ポートを有するものであるシステム。
【請求項１１】
請求項１０記載のシステムにおいて、前記２つの送液ポートの１つは、前記ピストン上に位置し、前記ピストンを介して送液をするようになっているものであるシステム。
【請求項１２】
請求項１０記載のシステムにおいて、前記医療用シリンジはドリップ・チャンバーとして作用するようになっているものであるシステム。
【請求項１３】
請求項１１記載のシステムにおいて、前記医療用シリンジはドリップ・チャンバーとして作用するようになっているものであるシステム。
【請求項１４】
シリンジから流体を輸液するシステムであって、前記シリンジは、流体を収容するシリンダと、シリンダの出口と、前記シリンダ内を平行移動することにより前記出口を通して前記シリンジから流体を流出させるようになっているプランジャとを有し、前記システムは、
前記プランジャに連結されたドライバと、
前記ドライバと前記シリンジの前記シリンダとの間に配置されたばねあって、これにより、前記ドライバ上に力が加えられて前記プランジャが前記シリンダ内に押圧され、流体が前記シリンダの前記出口から流出するものである、前記ばねと
を組み合わせて有するものであるシステム。
【請求項１５】
シリンジから流体を輸液するシステムであって、前記シリンジは、流体を収容するシリンダと、シリンダの出口と、前記シリンダ内を平行移動することにより前記出口を通して前記シリンジから流体を流出させるようになっているプランジャとを有し、前記システムは、
前記プランジャに連結されたドライバと、
前記ドライバと前記シリンジの前記シリンダとの間に配置された抵抗力付加手段であって、これにより、前記ドライバ上に力が加えられて前記プランジャが前記シリンダ内に押圧され、流体が前記シリンダの前記出口から流出するものである、前記抵抗力付加手段と
を組み合わせて有するものであるシステム。
【請求項１６】
請求項１５記載のシステムにおいて、前記抵抗力付加手段は、前記シリンジの前記ドライバと前記シリンダとの間に配置されたばねを有するものであるシステム。
【請求項１７】
請求項１５記載のシステムにおいて、前記抵抗力付加手段は、内部に移動自在なピストンが常駐する伸長した真空チャンバーと、前記ピストンに連結されたアームとを含み、前記アームは前記ドライバに連結され、前記真空チャンバーは前記シリンジの前記シリンダに連結されるものであるシステム。
【請求項１８】
シリンジから流体を輸液するシステムであって、前記シリンジは、流体を収容するシリンダと、シリンダの出口と、前記シリンダ内を平行移動することにより前記出口を通して前記シリンジから流体を流出させるようになっているプランジャとを有し、前記システムは、
前記プランジャに連結されたドライバと、
前記シリンジの前記シリンダに連結され、内部に移動自在なピストンが常駐する伸長した真空チャンバーおよび、前記ピストンと前記ドライバに連結されたアームであって、これにより、前記アームが前記ドライバ上に力を加えて前記プランジャが前記シリンダ内に押圧され、流体が前記シリンジの前記シリンダの前記出口から流出するものである、前記真空チャンバーおよび前記アームと、
を組み合わせて有するものであるシステム。
【手続補正２】
【補正対象書類名】明細書
【補正対象項目名】０００９
【補正方法】変更
【補正の内容】
【０００９】
従って、薬物を信頼性の高い、制御された方式で患者の体内に送達する、簡単で効果のある非電気式の自己作動輸液装置およびシステムの必要性が尚も残っている。
この出願の発明に関連する先行技術文献情報としては、以下のものがある（国際出願日以降国際段階で引用された文献及び他国に国内移行した際に引用された文献を含む）。
（先行技術文献）
（特許文献）
（特許文献１）  国際公開第２０１０／１３８１７０号
（特許文献２）  米国特許第５，８０７，３３７号明細書
（特許文献３）  米国特許第５，０２４，６６４号明細書
（特許文献４）  米国特許第７，０４１，０８１号明細書
（特許文献５）  韓国公開特許第１０−１９９８−００７５３１４号公報